(57)【要約】  特定の実施形態では、本発明の主題は、フライ領域にフライ構造物がない骨盤領域、および脚領域を含むボードショーツなどの衣服を対象とする。ウエストバンドシステムは、使用者のウエストを取り囲むために骨盤領域の上部に含まれる。ウエストバンドシステムは、使用者のウエストを完全に、または部分的に取り囲むように構成された弾性収容部を有し、引張可能要素は、収容部に摺動可能で、収容部に形成された開口を通るように配置された部分を有する。留め具は、引張可能要素および衣服と関連して、引張可能要素の張力を選択的に調節することができる。開口および留め具は、前側骨盤領域から外した離れたところに配置され、その結果、衣服の前部またはその選択された領域は平らな仕上げ部を有することができる。
2021507129.tif 000002
【特許請求の範囲】
【請求項１】
フライ領域にフライ構造物がない骨盤領域、および脚領域と、
使用者のウエストを調節可能に取り囲むように構成された、前記骨盤領域の上部に含まれるウエストバンドシステムであり、使用者のウエストを完全に、または部分的に取り囲むように構成された弾性収容部、前記収容部に摺動可能に配置され、前記収容部に形成された開口を通って延在可能な部分を有する引張可能要素、および前記引張可能要素の張力を選択的に調節することができるように、前記引張可能要素および前記衣服と関連した留め具を備えるウエストバンドシステムとを備え、
前記開口および前記留め具が前側の前記骨盤領域から外した離れたところに配置されていることを特徴とする、衣服。
【請求項２】
請求項１に記載の衣服であって、少なくとも前記フライ領域が平らな仕上げ部を有することを特徴とする衣服。
【請求項３】
請求項２に記載の衣服であって、前記骨盤領域の前部の大部分が平らな仕上げ部を有することを特徴とする衣服。
【請求項４】
請求項２に記載の衣服であって、前記収容部が、少なくとも前記前側骨盤領域にいかなる係合解除可能部分もなく、使用者のウエストを完全に取り囲むように構成されていることを特徴とする衣服。
【請求項５】
請求項１に記載の衣服であって、前記引張可能要素が、非弾性部分に結合された弾性部分を含み、これらの部分が前記収容部内に摺動可能に配置され、前記非弾性部分が前記開口を通って延在可能な部分を有することを特徴とする衣服。
【請求項６】
請求項１に記載の衣服であって、前記開口および前記留め具が、左後ろまたは右後ろの腰部に配置されていることを特徴とする衣服。
【請求項７】
請求項４に記載の衣服であって、前記収容部の本体が、実質的に弾性布から構成されていることを特徴とする衣服。
【請求項８】
請求項１に記載の衣服であって、前記脚領域が、対象とする使用者のひざの上方に配置される下縁を有するショーツとして構成されていることを特徴とする衣服。
【請求項９】
請求項８に記載の衣服であって、前記ショーツが、ゆったりとフィットし、木綿などの天然布と比べて比較的速く乾燥するように構成されたボードショーツを含み、前記ボードショーツが、少なくとも５％の弾性繊維を含む布の単一のプライを含む本体を有することを特徴とする衣服。
【請求項１０】
請求項８に記載の衣服であって、少なくとも前記前側骨盤領域が弾性布を含むことを特徴とする、衣服。
【請求項１１】
請求項１０に記載の衣服であって、少なくとも後側の前記骨盤領域が非弾性布を含むことを特徴とする、衣服。
【請求項１２】
請求項１１に記載の衣服であって、前記前側骨盤領域が弾性布の左および右の４分の１パネルを含み、前記後側骨盤領域が非弾性布の左および右の４分の１パネルを含むことを特徴とする衣服。
【請求項１３】
請求項１２に記載の衣服であって、前記左および右の４分の１パネルが、選択的に水平方向に伸縮する２方向伸縮弾性布を含むことを特徴とする衣服。
【請求項１４】
請求項１に記載の衣服であって、前記留め具がカムバックルを含むことを特徴とする衣服。
【請求項１５】
請求項５に記載の衣服であって、前記引張可能要素の前記非弾性部分が、第１の固定点に固定された第１の端部を有し、前記非弾性部分の反対側の第２の端部が、前記収容部の中を通って前記開口まで進み、前記開口を通って延在し、前記留め具と摺動可能に係合状態にあり、前記反対側の端部が、前記開口を通って前記収容部内に戻り、前記第２の端部が、前記弾性部分の第１の端部に結合し、前記弾性部分の反対側の第２の端部が、前記開口から所定の距離にある第２の固定点で前記衣服に固定され、その結果、前記引張可能要素の張力が前記ウエストバンドシステムを収縮し、対象とする使用者のウエストの周りを弾性張力下に置くことを特徴とする衣服。
【請求項１６】
請求項５に記載の衣服であって、前記引張可能要素が、非弾性部分に結合された弾性部分を含み、これらの部分が前記収容部内に摺動可能に配置され、前記非弾性部分が前記開口を通って延在し、前記非弾性部分が、第１の固定点に固定された第１の端部を有し、前記非弾性部分の反対側の第２の端部が、前記収容部の中を通って前記開口まで進み、前記開口を通って延在し、前記留め具と摺動可能に係合状態にあり、前記第２の端部が、前記留め具から延在する自由端であり、前記弾性部分の第１の端部が、前記開口から間隔を置いた位置で前記衣服に固定され、前記弾性部分の第２の反対側の端部が、前記第１の端部の前記固定点から間隔を置いた位置で前記非弾性部分に結合され、その結果、前記引張可能要素の張力が前記ウエストバンドシステムを収縮し、対象とする使用者のウエストの周りを弾性張力下に置くことを特徴とする衣服。
【請求項１７】
請求項１６に記載の衣服であって、前記留め具がカムバックルを含むことを特徴とする衣服。
【請求項１８】
請求項５に記載の衣服であって、前記ウエストバンドシステムが、第２の開口および関連する留め具ならびに引張可能要素をさらに備え、これらは請求項５の第１の組のようであるが、前記骨盤領域の前部から外れた前記衣服の第２の位置に配置されていることを特徴とする衣服。
【請求項１９】
請求項１に記載の衣服であって、前記脚領域および／または前記骨盤領域が弾性布を含むことを特徴とする衣服。
【請求項２０】
請求項１に記載の衣服であって、前記脚領域および／または骨盤領域が、ポリエステルまたはその混紡を含む非弾性布を含むことを特徴とする衣服。
【請求項２１】
請求項１９に記載の衣服であって、前記前側骨盤領域が弾性布パネルを含むことを特徴とする衣服。
【請求項２２】
請求項１９に記載の衣服であって、後側の前記骨盤領域が弾性布パネルを含むことを特徴とする衣服。
【請求項２３】
請求項２０に記載の衣服であって、前記前側骨盤領域が非弾性パネルを含むことを特徴とする衣服。
【請求項２４】
請求項１に記載の衣服であって、前記引張可能要素が弾性部分および非弾性部分を含み、前記弾性部分が前記衣服に固定されていないが、非弾性部分の間にある部分である、または前記引張可能要素の終端部分であり、前記引張可能要素の一端が前記衣服に固定され、他端が前記収容部および前記留め具を通ることを特徴とする衣服。
【請求項２５】
請求項１に記載の衣服であって、前記引張可能要素が弾性的に引張可能であることを特徴とする衣服。
【発明の詳細な説明】
【技術分野】
【０００１】
本発明の主題は一般に、ショーツ、ズボン、ニッカーなどの下半身用の衣服を対象とする。本発明の主題は特に、サーフィン、パドリング、および他のボードスポーツおよびパドルスポーツなどの水上水中スポーツおよび活動に適した開閉部を有して構成されたこのような衣服を対象とする。本発明の主題による衣服は、使用者にしっかりとフィットすることを可能にしながら、衣服の前部が、少なくともフライ領域において、平らで膨らみのない仕上げ部を有することを可能にするウエストバンドシステムを有する。
【背景技術】
【０００２】
知られているフライ構造物は、前部が開くこと、または広がることを可能にし、鉛直方向に揃った縁、または鉛直方向を向いたフライ領域に被さる重なり部に基づいて選択的に開くことができる、または広げることができるジッパー、ドローコード、スナップ、ボタン、面ファスナー（例えば、Ｖｅｌｃｒｏ（登録商標））、および他の開閉部または伸長可能なまちなどのファスナーを含む（例えば、下記特許文献１〜３参照）。
【先行技術文献】
【特許文献】
【０００３】
【特許文献１】米国特許第６，１９９，２１５号明細書
【特許文献２】米国特許第７，１７４，５７４号明細書
【特許文献３】米国特許第９，２７１，５３４号明細書
【発明の概要】
【０００４】
残念ながら、このようなフライ開閉部は平らではない、すなわち、前側パネルで取り囲む衣服の前面領域で平坦で膨らみがないということはない。ボードショーツおよび水上水中の衣服において、機能と見栄えの両方の見地から、フライが衣服の前側領域で平坦ですっきりとしていることが望ましい。しかし、機械式ファスナー、ひも、重ね材料などの従来の開閉部は衣服に平らでない仕上げ部を生成する、すなわち、膨らみまたは他の突出部がある。従来のフライ構造物に関連したウエストバンドは、ボタン、スナップ、および面ファスナーなどのウエストバンド開閉システムを有し、それによって、ウエストバンドはそれ自体から係合解除され、または分離され、使用者が衣服を脱着するためのより広い開口を生成することができる。フライ構造物のように、これらのウエストバンド開閉部は、衣服の前部に配置され、膨らんで突出する。
【０００５】
フライおよび関連したウエストバンド開閉構造物からの膨らみまたは突出部によって、使用者が、サーフボード、パドルボード、または他の堅い面などの堅い面に押し付けられると、使用者の性器または他の骨盤領域の部分に当たる圧力点が生じる。
【０００６】
従来の開閉部は、重なっている材料、すなわち、重なっている領域で同一平面にない重ね材料に基づくことが多く、このため、波や川の力、または牽引される水上水中スポーツの下では、引き離されかねない。水または風の力によって、水上水中活動または高速活動中、衣服が緩くなる、または脱げてしまうことすらあり得る。衣服の保護がなければ、使用者の体は強い水の噴流に曝されることがあり、それは潜在的に有害である。衣服が開く、または意図せずに脱げることは、プライバシーを傷つけ、困惑させることがある。
【０００７】
長い縫目線とかさばりを有する従来のフライ開閉部はまた、その見栄えは良くなく、それはフライ領域にわたって平らな仕上げ部にすることよって改善することができる。
【０００８】
ボタン、スナップ、および面ファスナーなどの従来のウエスト開閉部もまたその見栄えは良くなく、それは前側ウエストにわたって平らな仕上げ部にすることによって改善することができる。
【０００９】
前述の問題のいくつかに対処することができる全体が弾性的なウエストバンドが知られているが、それらは伸びすぎる傾向があり、様々な活動、特に水上水中スポーツを通して、しっかりとして快適なフィットを提供しない。
【００１０】
したがって、激しい活動中に衣服を使用者に十分しっかりと固定するウエストバンドシステムが設けられた、水上水中活動や他の活動のための改善された衣服の必要性がある。
【００１１】
したがって、堅い面に当たる使用中に圧力点を有することのない前側領域が設けられた、水上水中活動や他の活動のための改善された衣服の必要性がある。
【００１２】
したがって、ウォータースポーツや他の激しい活動中に思いがけず開いたり脱げたりすることを防ぐ前側領域が設けられた、水上水中活動や他の活動のための改善された衣服の必要性がある。
【００１３】
したがって、すっきりとした感じの見栄えの良い前側領域が設けられた、水上水中活動や他の活動のための改善された衣服の必要性がある。  
【００１４】
本発明の主題は、前述および他の必要性に対処する。以下の実施形態は、本発明の主題がこのような必要性に対処することができる方法の代表的なものである。
【００１５】
特定の実施形態では、本発明の主題は、フライ領域にフライ構造物がない骨盤領域、および脚領域を含むボードショーツなどの衣服を対象とする。ウエストバンドシステムは、使用者のウエストを取り囲むために骨盤領域の上部に含まれる。ウエストバンドシステムは、使用者のウエストを完全に、または部分的に取り囲むように構成された弾性収容部を有し、引張可能要素は、収容部に摺動可能で、収容部に形成された開口を通るように配置された部分を有する。留め具は、引張可能要素および衣服と関連して、引張可能要素の張力を選択的に調節することができる。開口および留め具は、前側骨盤領域から外した離れたところに配置され、その結果、衣服の前部またはその選択された領域は平らな仕上げ部を有することができる。
【００１６】
前述および他の実施形態では、少なくとも、フライ領域に対応する衣服の領域は平らな仕上げ部を有する。前述および他の実施形態では、骨盤領域の前部の大部分は平らな仕上げ部を有することができる。
【００１７】
前述および他の実施形態では、収容部は、少なくとも前側骨盤領域にいかなる係合解除可能部分もなく、使用者のウエストを完全に取り囲むように構成することができ、それによって、衣服の少なくとも前側ウエストバンド領域に平らな仕上げ部を設けることができる。
【００１８】
前述および他の実施形態では、引張可能要素は、非弾性部分に結合された弾性部分を含むことができ、これらの部分は収容部内に摺動可能に配置され、非弾性部分は開口を通って延在可能な部分を有する。
【００１９】
前述および他の実施形態では、開口および留め具は、左後ろまたは右後ろの腰部に配置することができる。
【００２０】
前述および他の実施形態では、収容部の本体は、実質的に弾性布から構成され、その結果、収容部はその長さにわたって弾性を有する。
【００２１】
前述および他の実施形態では、脚領域は、対象とする使用者のひざの上方に配置されるように構成された下縁を有するショーツとして構成することができる。前述および他の実施形態では、ショーツは、ゆったりとフィットし、木綿などの天然布と比べて比較的速く乾燥するように構成されたボードショーツであり、ボードショーツは、少なくとも５％のエラスタンまたはｔｒｉｅｘｔａ繊維を含む布の単一のプライを含む本体を有する。
【００２２】
前述および他の実施形態では、衣服の前側骨盤領域は弾性布を含む。前述および他の実施形態では、少なくとも後側骨盤領域は非弾性布を含む。前述および他の実施形態では、前側骨盤領域は弾性布の左および右の４分の１パネルを含むことができ、後側骨盤領域は非弾性布の左および右の４分の１パネルを含むことができる。他の実施形態では、後側骨盤領域は弾性を有することができる。前述および他の実施形態では、左および右の４分の１パネルは、選択的に水平方向に伸縮する２方向伸縮弾性布であってもよい。前述および他の実施形態では、脚領域および／または骨盤領域は、エラスタンなどの弾性糸、または弾性糸と非弾性糸との混紡を含む弾性布を含み、その結果、意図される使用条件において全体的に弾性を有する布になる。前述および他の実施形態では、脚領域および／または骨盤領域は、ポリエステルまたはナイロン、あるいは特定の非弾性糸と特定の他の非弾性糸との混紡の非弾性布を含み、その結果、意図される使用条件において全体的に非弾性を有する布になる。
【００２３】
前述および他の実施形態では、引張可能要素は、非弾性部分に結合された弾性部分を含むことができ、これらの部分は収容部内に摺動可能に配置され、非弾性部分は開口を通って延在し、非弾性部分は、第１の固定点に固定された第１の端部を有し、第１の固定点は開口と隣り合い、非弾性部分の反対側の第２の端部は、収容部の中を通って開口まで進み、開口を通って延在し、留め具と摺動可能に係合状態にあり、第２の端部は、開口を通って収容部内に戻り、第２の端部は、弾性部分の第１の端部に結合し、弾性部分の反対側の第２の端部は、開口から所定の距離にある第２の固定点で衣服に固定され、その結果、調節可能要素の張力はウエストバンドシステムを収縮し、対象とする使用者のウエストの周りを弾性張力下に置く。
【００２４】
前述および他の実施形態では、本衣服のウエストバンドシステムは、開口および関連する留め具ならびに引張可能要素の第２の組をさらに備え、これらは上記の第１の組のようであるが、骨盤領域の前部から外れた衣服の第２の位置に配置されている。
【００２５】
前述および他の実施形態では、留め具はカムバックルであってもよい。
【００２６】
別の可能な実施形態では、引張可能要素は、非弾性部分に結合された弾性部分を含み、これらの部分は収容部内に摺動可能に配置され、非弾性部分は開口を通って延在し、非弾性部分は、第１の固定点に固定された第１の端部を有する。非弾性部分の反対側の第２の端部は、収容部の中を通って開口まで進み、開口を通って延在し、留め具と摺動可能に係合状態にあり、第２の端部は、留め具から延在する自由端である。弾性部分の第１の端部は、開口から間隔を置いた位置で衣服に固定され、弾性部分の第２の反対側の端部は、第１の端部の固定点から間隔を置いた位置で非弾性部分に結合され、その結果、引張可能要素の張力はウエストバンドシステムを収縮し、対象とする使用者のウエストの周りを弾性張力下に置く。
【００２７】
引張可能要素の別の可能な実施形態では、弾性部分は衣服に固定されていないが、非弾性部分の間にある部分である、または引張可能要素の終端部分であり、引張可能要素の一端は衣服に固定され、他端は収容部および留め具を通る。他の実施形態は、この概要に引用して援用する、下記の発明を実施するための形態、添付図、および当初記載された特許請求の範囲、または補正された特許請求の範囲において考察される。前述の内容は、本発明の主題の実施形態および特徴を網羅的に列挙することを意図したものではない。当業者であれば、図面とともに以下の発明を実施するための形態から他の実施形態および特徴を理解することができる。
【００２８】
以下の図１〜図６の図面は、先行技術を示すと注記されない限り、本発明の主題による可能な実施形態を示す。提示する図面は、例示および説明のためのものであり、必ずしも原寸に比例したものではない。
【図面の簡単な説明】
【００２９】
【図１】調節可能なウエストバンドシステムを有する衣服、この場合はボードショーツの前面図である。
【図２】図１のボードショーツの背面図である。
【図３】図１のボードショーツの右側面図である。
【図４】図１のボードショーツの左側面図である。
【図５】図１のボードショーツのウエストバンドシステムの収容部の引張可能要素の詳細破断図である。
【図６】ウエストバンドシステム用の留め具およびそれに関連する引張可能要素の詳細図である。
【発明を実施するための形態】
【００３０】
本発明の主題による代表的な実施形態を図１〜図６に示し、または本書で説明する。ここでは、同じまたは概ね類似の特徴部は共通の参照符号を共有している。
【００３１】
本発明の主題は一般に、フライ、ひも、ジッパー、あるいは他の膨らんだ、または突出した構造物のない前側パネルを有する調節可能なウエストバンドを有する衣服を対象とする。本発明の主題を例示するために、その範囲を限定せず、ボードショーツを例示的な実施形態として用いる。ウエストバンドは、ショーツの前部から外した場所、例えば側部に配置されたカムバックルなどの留め具を用いて、ウエストバンドの収容部内を通らせた引張要素を調節して止めることができ、それによって、ショーツの前部はすっきりと平らなままであり、その結果、使用者に対して圧力点に生成せず、ショーツの前側骨盤領域の少なくともフライ領域を平らな仕上げ部にすることができる。
【００３２】
より詳細には、本発明の主題は、フライ領域にフライ構造物がない骨盤領域、および脚領域を含む衣服、例えばボードショーツを対象とする。ウエストバンドシステムは、使用者のウエストを取り囲むための骨盤領域の上部に含まれる。ウエストバンドシステムは、使用者のウエストを完全に、または部分的に取り囲むように構成された弾性収容部を有し、引張可能要素は、収容部に摺動可能で、収容部に形成された開口を通るように配置された部分を有する。留め具は、引張可能要素および衣服と関連して、引張可能要素の張力を選択的に調節することができる。開口および留め具は、前側骨盤領域から外した離れたところに配置され、その結果、衣服の前部またはその選択された領域は平らな仕上げ部を有することができる。
【００３３】
本書で、「平らな仕上げ部」は、選択された領域に膨らみおよび突出部のないことを意味する。それは、完全に平坦である、すなわち、少なくとも外面が、材料を水平に置くと、結合された周囲の材料の領域と同一平面である。選択された領域は、周囲の領域に延在する材料のシートまたはプライから作ることによって連続的で一体的になることができる。あるいは、例えば、一緒に結合して同一平面になる、同じ材料または異なる材料の複数のパネルまたは部分から作ることによって非連続的で一体的になることができる。
【００３４】
以下の説明および添付図は、水上水中活動（例えば、水泳、サーフィン、パドリング、スノーケリング）のために利用することができるボードショーツまたはウォーターショーツの代表的な構成を有する衣服１の物品を開示する。他の構成では、衣服１は、例えば、バスケットボール、自転車、ランニング、およびサッカー用ショーツ、ならびに水着を含む運動活動時に利用される他のタイプのショーツの構造を有してもよい。衣服１に関連する概念はまた、ドレスショーツ、ズボン、スカート、スラックス、ニッカー、タイツ、および他のタイプの衣服を含む、しっかりとした平らな仕上げ部が望ましい任意の他の衣服に適用することができる。したがって、衣服１に関連する概念は、運動活動および非運動活動の両方のために用いられる広範囲な衣服のスタイルまたは形状に適用することができる。
【００３５】
衣服１は一般に、骨盤領域１１および１対の脚領域１２を含む。骨盤領域１１は、実質的に人の骨盤部の周りに延在して覆う形状を有する。一般に知られているように、前側骨盤領域および後側骨盤領域がある。脚領域１２は、骨盤領域１１の両側から下方に延在し、実質的に人の上脚部の周りに延在して覆う形状を有する。衣服１はまた、下でより詳しく論じるように、衣服の前部および後部にわたって複数の区域またはパネル、例えばパネル２、３、４、６によって画定されてもよい。
【００３６】
衣服１は、一般に領域１１および１２のそれぞれを画定し、１つ以上の布地要素から形成され得る本体を有する。本体が複数の要素から形成される場合、これらの要素は、例えば、縫製、接着剤、接着、および／または熱接着によって結合されてもよい。衣服１の本体のいくつかまたはすべては、３次元構造を生成するための知られている織り技術および編み技術に基づく、一体物で縫目のない構造であってもよい。特定の実施形態では、衣服１の本体は、取り囲む本体の部分の周りを同一面状に延在するドレープ性材料の１つ以上のパネルから形成される。例えば、複数のパネルは、縁と縁とを結合して、複数の本体領域、例えば前側および後側骨盤領域にわたって同一面の外面構造を生成することができる。他の実施形態では、ドレープ性材料の単一のシートまたはプライは、このような複数の本体領域を縫目のない構造で取り囲む。任意の所与のパネルは、材料の単一のプライから、または、耐久性の高い外側材料と内側の快適なライナとの積層体など、一緒に積層された複数のプライから作ることができる。
【００３７】
衣服１の任意の部分を形成するために使用される布地要素は、２方向または４方向伸縮性布地あるいは非伸縮性布地のいずれからも形成することができる。非伸縮性布地要素が衣服１に利用されてもよいが、伸縮性布地要素の利点は、領域１１および１２の部分が、水上水中および陸上の活動中の使用者の動きに従って選択的に伸縮し、または他の態様で伸び、それによって、これらの活動中に動きの制約を少なくし、自由度を大きくするという点である。布地要素はまた、織り布地または編み布地のどちらから形成されてもよい。編み布地要素が衣服１に利用されてもよいが、織り布地要素の利点は、耐久性が高いこと、および張力を受けたときに（すなわち、伸ばされたときに）永久的に変形する傾向が少ないことに関係する。ボードショーツまたはウォーターショーツの構成を有する衣服１に恩恵をもたらす織り布地要素のさらなる利点は、織り布地要素内の糸と糸との間の空間は狭くて、少量の水しか保持せず、水に浸されたための変形をあまり示さない傾向にあるという点である。いくつかの構成では、衣服１のいくつかの部分はまた、様々なアップリケ、切り替え、当て布、飾り、垂れ、つまみ、はと目、または、他の美的もしくは機能的特徴を含んでもよい。
【００３８】
骨盤領域１１は、使用者の胴部が延在する上側開口を画定するウエストバンドシステム１４を含む。ボードショーツの場合、ウエストバンドシステム１４を除いて、衣服１の大部分は典型的には、ゆったりとしたフィット構成を有する。すなわち、衣服１は一般に、着用されたときに、使用者にぴったりとフィットする接触ではなく、使用者から隙間をあける、または使用者と緩く接触するように構成されている。本衣服は任意選択的に、１つ以上のポケット、例えばポケット７を含んでもよく、その本体は、衣服の本体と重なるか、または本体の裏に形成されてもよく、本体表面にはポケットにアクセスするために単なるスロットを有する（後者の方式では、衣服は、ポケット領域は平らな仕上げ部のままである）。
【００３９】
図１は、例示的な衣服、すなわちボードショーツ１の前面図である。ショーツ１は、表面に形成された任意のオプションのポケットを除いて、平らな仕上げ部を有する前側骨盤領域を含む。この例では、前側領域は、前側骨盤領域を横切って延在するウエストバンド部分を有する。前側骨盤領域は、右前側パネル２、左前側パネル３、右後側パネル４、左後側パネル５、およびウエスト部パネル６を含む。少なくとも前側ウエストバンドと前側パネルは、平らな仕上げ部になるように縫目で一緒に結合される。左前側パネルと右前側パネルは互いに隣り合って、骨盤領域１１の前部にわたって配置される。前側骨盤領域には、膨らんで、概ね、前側骨盤領域で平らでない面を生じさせるジッパー、ひも、まち、ボタン、あるいは他のフライまたはウエスト開閉部がない（骨盤領域の側面に設けられることがあるポケットを含めないで）。図示はしていないが、他の実施形態では、パネルとウエストバンド部は一体の縫目なし構造になるように結合されてもよい。フライなしの実施形態と矛盾しないで、ウエストバンドパネルまたはウエストバンド部は、フライ構造物と関連したウエストバンド開閉構造物を有する従来のウエストバンドの場合のようにそれ自体から外れる、または離れるということがない連続的で切れ目のない構造とすることができる。
【００４０】
ボードショーツ１は、任意の数の知られている布地材料から構成されてもよい。材料の例としては、エラスタン、ｔｒｉｅｘｔａ（例えば、ＤｕＰｏｎｔのＳｏｒｏｎａブランドの繊維）、ポリエステル、ナイロンの繊維に基づく布、またはこのような繊維の混紡を有する布などの速乾型布、あるいは軽量ネオプレンが挙げられる。ボードショーツは、全体的または部分的に弾性材料または非弾性材料から作られてもよく、選ばれた材料が様々な構成で配置される。例えば、ボードショーツは、弾性材料と非弾性材料の領域を変えて作られてもよい。例えば、前部、後部、ウエスト部、および／または側部は、エラスタンまたはｔｒｉｅｘｔａ繊維、あるいは弾性繊維の混紡を有する布などの弾性布から作られてもよい。適切な混紡は、少なくとも２％、５％、７％、１０％、１５％、２０％、２５％、３０％、３５％、４０％、５０％、またはそれに近い値の弾性繊維を有してもよい。残りは、ポリエステル、ナイロン、木綿、または羊毛などの天然布および／または合成布であってもよい。特定の実施形態では、混紡は約５％〜２０％の範囲の弾性繊維を有する。１つの適切な実施形態では、１つ以上のパネルは、９０％ポリエステル繊維／１０％弾性繊維、またはそれに近い値の混紡布より構成されてもよい。そして、１つ以上のパネルは、少なくとも５０％のポリエステル、ナイロン、木綿、または羊毛を有する比較的非弾性の材料より構成される。いくつかの実施形態では、本衣服は、非弾性の１つ以上の前側パネルおよびウエストパネル、ならびに１つ以上の非弾性の後側パネルを含む。弾性パネルは、前述したように、編まれた、または織られた２方向または４方向伸縮性材料であってもよい。前述の説明は限定することを意図したものではない。例えば、他の実施形態では、すべてのパネルは弾性であってもよいし、すべてのパネルは非弾性であってもよい。本書では、弾性および非弾性は、活動的なボディウエアとして使用されることが予想される状態において明らかに伸縮性があるかないかを意味する相対的な用語である。
【００４１】
ボードショーツ１はウエストバンドシステム１４を含み、ウエストバンドシステム１４は、使用者を取り囲み、ウエストバンドシステムの下方に配置された骨盤領域１１の前部および後部と一体となっている。ウエストバンドシステムは、次の３つの基本的な構成要素から構成される。（ｉ）収容部１６、（ｉｉ）収容部内に調節可能に配置された引張可能要素１８、および（ｉｉｉ）選択された調節状態に引張要素を係止するために、操作可能に引張要素に係合したり係合解除したりする、収容部と関連した留め具２０。ウエストバンドシステムは、使用時に使用者の周りでのウエストバンドシステムの一定で選択された張力を可能にする非弾性材料と弾性材料との構成を含むことが有利である。言い換えれば、ウエストバンドは、しっかりとして快適なフィットを保ちながら、使用者の動きに調節することができる。したがって、本ウエストバンドシステムは、選択的な弾性張力を提供するものと称することができる。
【００４２】
収容部１６は、布地または他の可撓性材料の概ね管状の構成物である。例えば、収容部は、細長い布片を縁が揃うようにそれ自体に折り重ねて、縫製または前述の他の結合技法によって縁および終端部を結合することによって形成することができる。他の実施形態では、収容部１６は、縁が揃えられ、揃えられた縁および終端部に沿って結合された２つの別々の細長い布片から形成されてもよい。他の実施形態では、収容部１６は、縫目のない、織られた、または編まれた一体の管状構造物である。いかなる場合も、収容部１６は、骨盤領域１１の上部周囲部分を形成するようにボードショーツ１の本体に結合することができる。図示の実施形態では、必ずしもすべての実施形態ではないが、収容部１６は、ウエストバンドの一部分を係合解除することを可能にする切れ目を有する骨盤領域を取り囲む、または収容部１６は、ウエストバンドの一部分を係合解除してウエストバンドを開くことを可能にする切れ目を有することができる。
【００４３】
引張可能要素１８は細長い引張可能構造物であり、収容部に形成された１つ以上のスロットまたは他の開口２２から延在する１つ以上の延在可能な部分を除いて収容部１６内に配置される。延在可能な部分は、使用者が操作可能な留め具２０と関連付けることができるように、開口を通って延在することができる。使用者は引張可能要素および留め具と関わって、ウエストバンドシステムを所望の調節および弾性引張の状態に設定することができる。引張可能要素は、例えば、可撓性材料のバンド、織物、または束であってもよい。引張可能要素は端と端とが互いに結合された複数の部分を含んでもよい。引張可能要素およびそのいくつかの部分は、織られたまたは編まれた帯ひも、革ストラップ、一束のストラップの束、コード、またはケーブルより作られてもよい。このような構造物は、任意の天然材料または合成材料、あるいはそれらの組合せから作ることができる。引張可能要素は、非弾性部分と弾性部分との組合せであることが有利である。材料を組み合わせて使用することによって、ウエストバンドシステムは、使用者の周りでしっかりとして快適な弾性引張フィットを提供する。非弾性材料と弾性材料との組合せによって、使用時、ある程度の弾力性を可能にしながらしっかりフィットするように弾性を制限することができる。
【００４４】
使用者のウエストに対して調節することができるようにするために、下でより詳細に論じるように、引張可能要素１８の一部分は、衣服の収容部または本体に固定される。別の部分は、固定部分から間隔を置いて配置され、その間隔は、収容部を収縮させることができる理論的な長さを規定する。収容部の１つ以上の開口によって、引張可能要素の端部または中間部にアクセスして、それを収容部から延ばすことができる。使用者が引張可能要素にアクセスして引っ張ると、張力が固定部分に作用して、固定部を開口の方へ引っ張り、その結果、収容部を収縮させて締める。したがって、延長部分は調節長さに相当し、引張可能要素のより多くが開口を通じて引っ張られると、ウエストバンドは収縮させられ、延長部分が開口内に引き込まれると、ウエストバンドは拡張させられる。引張可能要素は、収容部内に摺動可能に配置されていると称することができる。これは、引張可能要素の１つ以上の点が収容部に対して相対的に動くことを意味する。例えば、引張可能要素の弾性部分を引き伸ばすと、伸びた部分は収容部に対して滑って動くことになる。非弾性部分は、伸びることなく収容部に対して滑ることができる。
【００４５】
図示の実施形態では、引張可能要素は、順次結合された非弾性部分と弾性部分とを含む、すなわち、部分または領域は端と端とが結合されている。引張可能要素は、固定点２６で収容部１６に固定された第１の端部２７を有するナイロンの帯ひもなどの非弾性部分２４を有する。固定点２６は開口２２に隣り合っており、開口２２は、この実施形態では、使用者の前側の右腰骨の後ろにある。帯ひもまたは他の引張可能要素は、かんぬき止めまたは他の結合技法を使って固定されてもよい。非弾性部分２４の自由端２８は、固定点２６を超えて少し延在して留め具２０に結合する。図示の例では、留め具２０はカムバックルであり、自由端２８は第１のスロット３０を通ってバックルの横部材３２の周りをまわる閉ループに形成される（留め具２０の詳細は図６を参照のこと）。
【００４６】
固定点２６の別の側では、非弾性部分２４は収容部１６の中を通って、使用者の前側骨盤領域を横切って、使用者の背中を横切り、開口２２まで進んで、開口２２を通りぬける。それは、第２のスロットの３４、３６の対および横部材３８によって留め具２０に摺動可能に結合される。非弾性部分２４の第２の端部４０は、第２のスロット３４、３６の対を摺動可能に回って通りぬけ、その結果、方向を逆転して開口２２内に戻る。開口２２を通りぬけ、収容部１６内に戻った後、引張可能要素１８の弾性部分４２に連続するように結合または連結される。弾性部分４２は収容部の中を進んで、使用者のウエストの背中部分を越えて収容部１６の固定点４３まで延在する。この固定点は衣服の左後側、ほぼ左腰骨の後ろにある。別の可能な実施形態（図示せず）では、このウエストバンドシステムは、引張可能要素において、非弾性部分２４の第２の端部４０が弾性部分４２に連続するように結合または連結され、端部４０は開口２２を通って延在し、カムバックルの中を進み、その結果、端部４０はカムバックルから延在する自由端となり、折り返して開口２２内に戻らないことを除いて、ウエストバンドシステム１２と同じである。言い換えれば、非弾性部分２４は、途中に弾性部分を入れてもよい。延在する自由端の長さは、カムバックルを開閉して自由端を引っ張る、または蓄えられた張力によって短くすることによって調節可能である。結合された弾性部分４２はそれに従って張力がかかり、したがって、ウエストバンドシステムは図に示した実施形態と同様な態様で動作する。さらに他の実施形態では、引張可能要素の非弾性部分と弾性部分とを他の配置で連結することが可能である。例えば、引張可能要素は、非弾性部分の間に挿入され、非弾性部分に結合または連結された複数の組の弾性部分を有してもよい。さらに、弾性部分は、留め具２０を通る部分であってもよく、または開口２２のそばの固定位置にあってもよい。
【００４７】
引張可能要素の別の可能な実施形態では、弾性部分は、衣服に固定されていないが非弾性部分の間にある部分である、または引張可能要素の終端部分であり、引張可能要素の一端は衣服に固定され、他端は収容部および留め具を通る。
【００４８】
弾性部分４２は、固定点４３から開口２２の方へ向かって所定の距離だけ延在し、この距離は、留め具２０を使った非弾性部分の調節と組み合わせて、使用者のウエスト周り調節可能でしっかりとした快適な弾性引張フィットを提供するのに十分な距離である。弾性部分４２の適切な長さは、約２インチ〜約１８インチである。特定の実施形態では、それは約４インチ〜約１０インチである。所望の量の弾性的な遊びを有する弾性部分４２を構成することによって、非弾性部分２４と結合して、ウエストバンドシステムは使用者に動的に順応し、調節後、ある範囲の弾性張力を与えることができる。しかし、その範囲は、衣服のウエストバンドが激しい活動で引っ張られすぎて、このような使用時に思いがけず、部分的にまたは完全に脱げてしまうことのないように制限することができる。
【００４９】
弾性収容部１６および引張可能要素１８に対して弾性または部分的に弾性の構造物を提供することによって、また、骨盤領域の前部から外して、すなわち、骨盤領域の側部から後部に沿って開口２２および隣り合う留め具２０を配置することによって、前側骨盤領域はフライ開閉部がなく、全体または所望の部分に平らな仕上げ部を有することができる。
【００５０】
特に、図２を見ると、開口２２は、使用者の背中の右側で右腰骨の後ろに配置されている。この配置において、使用者は、開口２２から延在する引張可能要素１８の部分に容易にアクセスしてそれを引っ張ることができ、留め具２０を開閉し、それによって、ウエストバンドシステムを便利に調節することができる。この位置はまた、使用者の腰の側面から外れており、その結果、使用中、使用者が腰を回しても、圧力点はない。
【００５１】
当業者であれば、前述の原理を様々な他の実施形態においても反映することができることを理解するであろう。例えば、本ウエストバンドシステムは、弾性材料と非弾性材料の複数の部分および配置を有することができ、また複数の開口を有することができて、複数の調節点を衣服の前部から外した離れたところに配置することができる。例えば、使用者の体の反対の側部で左腰の後ろに配置される、第２の調節開口が、引張可能要素の関連した調節可能な部分および留め具とともにあってもよい。
【００５２】
上記のように、留め具２０は、１対のスロットから構成され、それを通って、引張可能要素の摺動可能部分はカム部分３７に沿って進むことができるカムバックルであってもよい。カム部分は、ラッチ３９およびカムヘッド４１を含む。カムヘッド４１は回転可能で、ヘッドと横部材との間で引張可能要素と選択的に係合する。ラッチ３９は、使用者が掴んで、係止位置と係止解除位置との間でカムヘッドを回転するようにヘッドから延在する。前述のものは、カムバックルの１つの可能な形式であり、当業者であれば、他の形式も知られており可能であることを理解するであろう。カムバックルに加え、留め具２０は、任意の数の他のバックル、クランプ、またはストラップなどと摺動可能に係合して、ストラップを選択的に係止したり係止解除したりするための他の係止システムとすることができる。
【００５３】
図の例示的なボードショーツは、概ね鉛直方向の縫目で一緒に結合された左および右の前側４分の１パネル２、３、ならびに左および右の後側４分の１パネル４、５からなる複数のパネル構成物を有する。前側４分の１パネルはそれぞれ、使用者の腰の後ろの周りを包む、後方に延在する小さな部分４４、４６を有する。包む部分は、ショーツの後ろ側において概ね三角形であり、ウエストバンドシステム１４を含む、またはウエストバンドシステム１４に接続される水平方向に延在するウエスト部パネルまたは領域６と重なる、または合わさることができる。しかし、包む部分は他の形状でもよい。前側パネルの連続体としての包む部分は、同じ材料、例えば弾性布からなる。
【００５４】
ウエスト部パネルまたは領域は、使用者を完全に、または部分的に取り囲んでもよい。それと任意の他のパネルまたは領域は、隣り合う領域と同じ材料特性を有してもよいし異なっていてもよい。ウエスト部パネルまたは領域は、概ね水平方向の縫目によって、４分の１パネルに接続することができる。１つの可能な実施形態では、前側４分の１パネルは、選択的に水平方向には伸縮性があるが、鉛直方向には比較的非弾性である２方向伸縮布から作られてもよい。後側４分の１パネルは、比較的非弾性の布から作られてもよい。ウエスト部パネルまたは領域、および含まれるウエストバンドシステムは、衣服を着脱しやすいとともに、使用時に使用者が動きやすいように、完全に、または部分的に弾性布または材料である。当業者であれば理解するように、前述のものは、本発明の主題の多くの可能な実施形態のうちの１つにすぎず、本発明の主題の範囲を限定することを意図したものではない。
【００５５】
用語と範囲
当業者であれば、本発明の主題の本質を説明するために記載し図示した部品および行為の詳細、材料、および配置において多くの修正および変形が可能であること、ならびに、このような修正および変形が本書に含まれる教示および請求項の趣旨および範囲から逸脱しないことを認識するであろう。
【００５６】
任意の特定の例について上で説明した原理は、任意の１つ以上の他の例と関連して説明した原理と組み合わせることができる。したがって、この発明を実施するための形態は、限定する意味で解釈されるべきではなく、本開示の再検討に続いて、当業者であれば、本書で説明された様々な概念を使用して考案することができる多種多様なシステムを理解するであろう。さらに、当業者であれば、本書で開示される例示的な実施形態を、開示される原理から逸脱することなく、様々な構成に適合することができるということを理解するであろう。
【００５７】
開示される実施形態の前述の説明は、いかなる当業者でも、開示される革新的なものを作製または使用することができるように提供される。これらの実施形態に対する様々な修正は当業者にとっては明らかであり、本書で規定する包括的な原理は、本開示の趣旨または範囲から逸脱することなく、他の実施形態に適用することができる。したがって、特許請求される発明は、本書で示す実施形態に限定することを意図するものではなく、特許請求の範囲の文言に矛盾することないすべての範囲に与えられるべきであり、冠詞「１つの（ａ）」または「１つの（ａｎ）」を使用することなど、単数形での要素への言及は、特記なければ、「１つであり１つのみ」を意味することを意図しておらず、むしろ、「１つ以上の」を意味するように意図する。
【００５８】
本書において、用語「部分（ｐａｒｔ）」、「部分（ｐｏｒｔｉｏｎ）」、「部分（ｓｅｇｍｅｎｔ）」、「領域（ｒｅｇｉｏｎ）」、「領域（ｚｏｎｅ）」、「部分（ｓｅｃｔｉｏｎ）」および類似の用語を使用する場合、および使用するとき、これらの用語は概ね同意語であり、文脈において特記なければ、より大きな構造物の中の分離要素または副構成部品であることも、そうでないことも意味せず、または、より大きな一体物の構造物の非分離部分であることも、そうでないことも意味しない。
【００５９】
当業者に知られている、または当業者に後に知られることとなる、本開示の全体を通して説明される様々な実施形態の要素のすべての構造的な均等物および機能的な均等物は、本書で説明され特許請求される特徴によって包含されることが意図されている。さらに、本書で開示されるいかなることも、そのような開示が特許請求の範囲に明示的に記載されているかどうかにかかわらず、公に供することを意図していない。要素が「のための手段（ｍｅａｎｓ  ｆｏｒ）」または「のためのステップ（ｓｔｅｐ  ｆｏｒ）」という語句を使用して明示的に記載されていなければ、いかなる請求項要素も、米国特許法の下での「ミーンズプラスファンクション」請求項として解釈されるべきではない。
【００６０】
名前を挙げた各発明者および出願人は、下に添付する特許請求の範囲の範囲および趣旨に含まれるすべての請求項に対する権利を含む、本書に開示する主題に対するすべての権利を保有する。いかなる米国仮特許出願に対しても、各発明者および出願人は、特許請求項が仮特許出願の必要な構成要素ではないことを理解しており、したがって、いかなるこのような出願にも、詳細な特許請求項が含まれていないことがあり、各発明者および出願人は、本書に開示されるまたは考えられているいかなる発明の主題に対しても特許請求を追求する権利を留保する。
【図１】
2021507129.tif 000003
【図２】
2021507129.tif 000004
【図３】
2021507129.tif 000005
【図４】
2021507129.tif 000006
【図５】
2021507129.tif 000007
【図６】
2021507129.tif 000008
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
前側部分および後側部分を含み、フライ領域にフライ構造物がない骨盤領域、ならびに脚領域と、
使用者のウエストを調節可能に取り囲むように構成された、前記骨盤領域の上部に含まれるウエストバンドシステムであり、使用者のウエストを完全に、または部分的に取り囲むように構成された弾性収容部、前記収容部に摺動可能に配置され、前記収容部に形成された開口を通って延在可能な部分を有する引張可能要素、および前記引張可能要素の張力を選択的に調節することができるように、前記引張可能要素および衣服と関連した留め具を備えるウエストバンドシステムとを備え、
前記開口および前記留め具が前記後側の骨盤領域部分の左または右の腰部に配置されていることを特徴とする、衣服。
【請求項２】
請求項１に記載の衣服であって、少なくとも前記フライ領域が平らな仕上げ部を有することを特徴とする衣服。
【請求項３】
請求項２に記載の衣服であって、前記骨盤領域の前記前側部分の大部分が平らな仕上げ部を有することを特徴とする衣服。
【請求項４】
請求項２に記載の衣服であって、前記収容部が、使用者のウエストを完全に取り囲むように構成されていることを特徴とする衣服。
【請求項５】
請求項１に記載の衣服であって、前記引張可能要素が、非弾性部分に結合された弾性部分を含み、前記弾性部分および前記非弾性部分が前記収容部内に摺動可能に配置され、前記非弾性部分が前記開口を通って延在可能な部分を有し、前記非弾性部分が、前記弾性部分が伸縮するときに伸縮しないことを特徴とする衣服。
【請求項６】
請求項４に記載の衣服であって、前記収容部の本体が、実質的に弾性布から構成されていることを特徴とする衣服。
【請求項７】
請求項１に記載の衣服であって、前記脚領域が、対象とする使用者のひざの上方に配置されるように構成された下縁を有するショーツとして構成されていることを特徴とする衣服。
【請求項８】
請求項７に記載の衣服であって、前記ショーツが、ゆったりとフィットし、天然布と比べて比較的速く乾燥するように構成されたボードショーツを含み、前記骨盤領域、前記脚領域、またはその両方が少なくとも５％の弾性繊維を含む布の単一のプライを含むことを特徴とする衣服。
【請求項９】
請求項７に記載の衣服であって、少なくとも前記前側骨盤領域が弾性布を含むことを特徴とする、衣服。
【請求項１０】
請求項９に記載の衣服であって、少なくとも後側の前記骨盤領域が非弾性布を含むことを特徴とする、衣服。
【請求項１１】
請求項１０に記載の衣服であって、前記前側骨盤領域が弾性布の左および右の４分の１パネルを含み、前記後側骨盤領域が非弾性布の左および右の４分の１パネルを含むことを特徴とする衣服。
【請求項１２】
請求項１１に記載の衣服であって、前記左および右の４分の１パネルが、選択的に水平方向に伸縮する２方向伸縮弾性布を含むことを特徴とする衣服。
【請求項１３】
請求項１に記載の衣服であって、前記留め具がカムバックルを含むことを特徴とする衣服。
【請求項１４】
請求項５に記載の衣服であって、前記引張可能要素の前記非弾性部分が、第１の固定点に固定された第１の端部を有し、前記非弾性部分の反対側の第２の端部が、前記収容部の中を通って前記開口まで進み、前記開口を通って延在し、前記留め具と摺動可能に係合状態にあり、前記反対側の端部が、前記開口を通って前記収容部内に戻り、前記第２の端部が、前記弾性部分の第１の端部に結合し、前記弾性部分の反対側の第２の端部が、前記開口から所定の距離にある第２の固定点で前記衣服に固定され、その結果、前記引張可能要素の張力が前記ウエストバンドシステムを収縮し、対象とする使用者のウエストの周りに配置されるときに弾性張力下に置くことを特徴とする衣服。
【請求項１５】
請求項５に記載の衣服であって、前記引張可能要素が、非弾性部分に結合された弾性部分を含み、これらの部分が前記収容部内に摺動可能に配置され、前記非弾性部分が前記開口を通って延在し、前記非弾性部分が、第１の固定点に固定された第１の端部を有し、前記非弾性部分の反対側の第２の端部が、前記収容部の中を通って前記開口まで進み、前記開口を通って延在し、前記留め具と摺動可能に係合状態にあり、前記第２の端部が、前記留め具から延在する自由端であり、前記弾性部分の第１の端部が、前記開口から間隔を置いた位置で前記衣服に固定され、前記弾性部分の第２の反対側の端部が、前記第１の端部の前記固定点から間隔を置いた位置で前記非弾性部分に結合され、その結果、前記引張可能要素の張力が前記ウエストバンドシステムを収縮し、対象とする使用者のウエストの周りを弾性張力下に置くことを特徴とする衣服。
【請求項１６】
請求項１５に記載の衣服であって、前記留め具がカムバックルを含むことを特徴とする衣服。
【請求項１７】
請求項５に記載の衣服であって、前記ウエストバンドシステムが、前記収容部に形成された第２の開口、および前記引張可能要素の第２の部分と関連した第２の留め具をさらに備え、前記第２の留め具および前記第２の開口が、前記留め具および前記開口の位置とは異なる前記衣服の第２の位置に配置され、前記骨盤領域の前記前側部分から外して配置されていることを特徴とする衣服。
【請求項１８】
請求項１に記載の衣服であって、前記脚領域、前記骨盤領域、または両方が弾性布を含むことを特徴とする衣服。
【請求項１９】
前側部分および後側部分を含み、フライ領域にフライ構造物がない骨盤領域、ならびに脚領域と、
使用者のウエストを調節可能に取り囲むように構成された、前記骨盤領域の上部に含まれるウエストバンドシステムであり、使用者のウエストを完全に、または部分的に取り囲むように構成された弾性収容部を備えたウエストバンドシステムと、
前記収容部に摺動可能に配置され、前記収容部に形成された開口を通って延在可能な部分を有する引張可能要素と、
前記引張可能要素の張力を選択的に調節することができるように、前記引張可能要素および前記衣服と関連した留め具と
を備え、前記脚領域、前記骨盤領域、または両方が、ポリエステルまたはその混紡を含む非弾性布を含み、前記開口および前記留め具が、前記骨盤領域の前記前側部分から外した離れたところに配置されていることを特徴とする衣服。
【請求項２０】
請求項１８に記載の衣服であって、前記前側骨盤領域が弾性布パネルを含むことを特徴とする衣服。
【請求項２１】
請求項１８に記載の衣服であって、後側の前記骨盤領域が弾性布パネルを含むことを特徴とする衣服。
【請求項２２】
請求項１９に記載の衣服であって、前記前側骨盤領域が非弾性パネルを含むことを特徴とする衣服。
【請求項２３】
請求項１に記載の衣服であって、前記引張可能要素が弾性部分および非弾性部分を含み、前記弾性部分が前記衣服に固定されていないが、非弾性部分の間にある部分である、または前記引張可能要素の終端部分であり、前記引張可能要素の一端が前記衣服に固定され、他端が前記収容部および前記留め具を通ることを特徴とする衣服。
【請求項２４】
請求項１に記載の衣服であって、前記引張可能要素が弾性的に引張可能であることを特徴とする衣服。
【請求項２５】
前側部分および後側部分を含み、フライ領域にフライ構造物がない骨盤領域、ならびに脚領域と、
使用者のウエストを調節可能に取り囲むように構成された、前記骨盤領域の上部に含まれるウエストバンドシステムであり、
前記使用者のウエストを完全に、または部分的に取り囲むように構成された弾性収容部、非弾性部分に結合された弾性部分を含む引張可能要素であり、前記弾性部分および前記非弾性部分が前記収容部内に摺動可能に配置され、前記非弾性部分が、前記収容部に形成された開口を通って延在可能な部分を有し、前記非弾性部分が、前記弾性部分が伸縮するときに伸縮しない、引張可能要素、ならびに
前記引張可能要素の張力を選択的に調節することができるように、前記引張可能要素および前記衣服と関連した留め具を備え、
前記開口および前記留め具が、前記骨盤領域の前記後側部分から外した離れたところに配置されている、ウエストバンドシステムと
を備えることを特徴とする衣服。
【国際調査報告】
2021507129.tif 000009
2021507129.tif 000010